(57)【要約】【課題】電子機器の不明確な使用方法を実演によって覚えることが出来る。【解決手段】デジタルカメラで撮影中に操作が分からない場合には、ヘルプボタンを押下して、ＬＣＤに手引き一覧画面を表示させる。カーソルでこの画面から所望の項目を選択、決定する。これにより操作案内が開始される。操作手順に従って順次操作ボタンが自動押下すると共に、操作ボタンに内蔵されているＬＥＤが点灯して操作方法の実演を行う。操作案内が終了すると、ユーザーは操作案内で実行されたせっていを元に戻すかどうかの選択を行う。【選択図】        図６
2004165782.tif 000002
【特許請求の範囲】
【請求項１】
各種機能の操作手順データを記憶する記憶手段と、前記操作手順データに基づいて機器本体に設けられた複数の操作部を順次動作させることにより、操作方法の案内を実行する操作案内手段とが設けられていることを特徴とする電子機器。
【請求項２】
前記各操作部にはそれぞれ発光体が設けられており、前記操作案内手段は、前記発光体を順次点灯させることにより前記案内を実行することを特徴とする請求項１記載の電子機器。
【発明の詳細な説明】
【０００１】
【発明の属する技術分野】
本発明は、電子機器の操作方法の案内機能が設けられた電子機器に関するものである。
【０００２】
【従来の技術】
デジタルカメラなどの各種電子機器は、近年、多機能化に伴って操作方法が複雑になってきている。このため、初心者が多様な機能を使いこなすためには、説明書などのマニュアルを片手に操作方法を習得しなければならない。しかし、旅行などの外出先にマニュアルを携帯していくのは非常に煩わしい。そこで、デジタルカメラ本体に設けられたＬＣＤに操作手順をテキスト等で表示することにより、操作案内をする技術が知られている（例えば、特許文献１参照）。これによれば、説明書を手にしなくとも操作案内を受けることができるので簡単である。
【０００３】
【特許文献１】
特開２０００−３３３０４５号公報
【０００４】
【発明が解決しようとする課題】
しかしながら、テキストによる操作説明では、説明文や説明の構成の出来如何によって、わかりやすさが大きく左右されてしまうし、操作部と、その操作部位の名称との対応関係がわからないとどの操作部位を操作していいのかわからないという問題があった。特に、初心者の場合には、操作部の名称を知らないことも多いので、テキストによる操作説明では操作方法の習得が難しかった。
【０００５】
本発明は、初心者でも分かりやすい操作案内機能を設けたデジタルカメラを提供することを目的とする。
【０００６】
【課題を解決するための手段】
各種機能の操作手順データを記憶する記憶手段と、操作手順データに基づいて機器本体に設けられた複数の操作部を順次動作させることにより、操作方法の案内を実行する操作案内手段とが設けられているものである。
【０００７】
各操作部にはそれぞれ発光体が設けられており、操作案内手段は、発光体を順次点灯させることにより案内を実行するものである。
【０００８】
【発明の実施の形態】
図１は本発明を実施したデジタルカメラの外観斜視図である。デジタルカメラ２の前面には、撮影レンズ５が組み込まれたレンズ鏡筒６、ファインダ７を構成する対物側ファインダ窓８、被写体に向けてストロボ光を照射するストロボ発光部９等が設けられている。レンズ鏡筒６はデジタルカメラ２が電源オフの際に、デジタルカメラ２内部に設けられた鏡筒収納部１０内に収納され、電源オンと共にデジタルカメラ２の前面から突出する。
【０００９】
デジタルカメラ２の側面には、メモリーカード１５をセットするメモリーカードスロット１６が設けられている。このメモリーカードスロット１６の奥には、メモリーカード１５へデータの書き込みを行うメモリーカードリーダが内蔵されている。メモリーカードスロット１６は塵芥の進入を防ぐために、開閉式の保護カバー１７によって保護されている。また、デジタルカメラ２の上面にはシャッターボタン１８が設けられている。
【００１０】
図２に示すように、デジタルカメラ２の背面には、ファインダ７を構成する接眼ファインダ窓２０、ＬＣＤ２２、スピーカー３２を備えている。またメニューボタン２３、決定ボタン２８、キャンセルボタン２４、十字ボタン２５が設けられており、これらはシャッターボタン１８とともに操作部（図３の符号３０参照）を構成する。モード選択レバー２６は、撮影を実行する撮影モード、撮影済み画像をＬＥＤ２２に再生表示する再生モード、各種設定を行うセットアップモードからなる各操作モードを切り替える。
【００１１】
図３にデジタルカメラ２の電気構成の概略を示す。システム制御部３５はＲＯＭ５０に格納された制御プログラムに従って、デジタルカメラ２の各部を制御する。撮像部３７は、ＣＣＤイメージセンサ、ＣＤＳ（相関二重サンプリング回路）、アンプ、Ａ／Ｄ変換器などから構成されている。撮影レンズ５からの被写体光をＣＣＤイメージセンサで光電変換してアナログの撮像信号に変換する。アナログの撮像信号は、Ａ／Ｄ変換器によってデジタルデータに変換された後、画像処理回路４０に送られる。この画像処理回路４０は、撮像部３７より送られた画像データにガンマ補正、シャープネス補正、コントラスト補正等の各種信号補正を行う。メディアコントローラ４７は、メモリーカード１５へアクセスして画像データの書き込みと読み取りを行う。
【００１２】
ＬＣＤドライバ４６はＬＣＤ２２を駆動する。ＬＣＤ２２は、撮影モードにおいてはフレーミング用の画像データであるスルー画像を表示する電子ビューファインダとして機能する。また、再生モードにおいては、ＬＣＤ２２にはメモリーカード１５に記録された撮影画像が再生表示される。撮影モードにおいて、シャッターボタン１８が押されると、画像データがメディアコントローラ４７に送られてメモリーカード１５に記録される。
【００１３】
ＲＯＭ５０には、制御用プログラムや各種設定情報の他、操作手順データが格納されている。デジタルカメラ２には、各操作ボタンや表示パネル等を、順次動作させて操作方法を実演することにより、操作案内を行う機能が設けられている。操作手順データは、デジタルカメラ２の各種操作方法、例えば、ストロボ発光モードの設定方法や撮影モードの選択方法などの操作手順が記述されたデータであり、システム制御部３５は、この手順データに従って、各操作ボタンや表示パネルを動作させて操作案内を実行する。
【００１４】
押下駆動回路５１は、シャッタボタン１８やメニューボタン２３などの各操作ボタンを自動的に押下動作させることにより、実演動作させるためのものである。また、各操作ボタンは、透明な樹脂で形成されており、それらの内部にはＬＥＤ５４が内蔵されている。各ＬＥＤ５４は、操作案内実行中に、操作しなければならないボタンをユーザーに知らせるためのものである。点灯回路５２は、押下駆動回路５１と連動して、動作中の操作ボタンを点灯させる。
【００１５】
操作方法とその操作案内について、撮影モード下において、スローシンクロ撮影を設定する例を用いて説明する。スローシンクロモードは、夜景を背景に人物を撮影する場合に、人物とともに夜景の移し込みを可能にするモードであり、スローシャッタ撮影に同期して、ストロボを発光させて撮影がなされる。デジタルカメラ２では、このスローシンクロモードは、ストロボ発光モードの１つとして位置づけられており、スローシンクロ撮影をしたい場合には、ストロボ発光モードをスローシンクロモードに切り替える必要がある。
【００１６】
撮影モードが選択されている場合には、ＬＣＤ２２には、図４（Ａ）に示すように、画像表示画面３１が表示される。この画像表示画面３１には、画面上に撮影モードが選択されていることを示すマーク５５や、撮影枚数の累積枚数５６が表示される。スローシンクロモードへの切り替え操作は、まず、メニューボタン２３を押して、図４（Ｂ）に示すセットアップ画面３２を表示させる。
【００１７】
セットアップ画面３２には、人物や風景などの撮影シーンの選択や、ストロボ発光モードの選択など各種の設定項目が一覧表示される。これら各種の項目の中から、十字ボタン２５を操作して、カーソルをストロボ発光モード選択に合わせて、決定ボタン２８を押す。すると、オートストロボ、スローシンクロ、赤目軽減、強制発光、発光禁止など、ストロボ発光モードとして選択可能な項目が一覧表示される。十字ボタン２５でカーソルを移動して、スローシンクロに合わせて、決定ボタン２８を押す。これにより、スローシンクロモードが選択されて、画像表示画面３１に復帰する。画面３１上には、スローシンクロモードが選択さえれていることを示すマーク２１が表示される。
【００１８】
このように、撮影モード下において、スローシンクロモードへの切り替え方法は、メニューボタン２３の押下操作によるセットアップ画面の表示操作、十字ボタン２５によるカーソルの移動と決定ボタン２８による確定操作による項目選択操作を順次実行する必要がある。操作案内は、これら一連の操作を実演する。
【００１９】
操作案内を実行する場合には、ヘルプボタン２７を押下する。ヘルプボタン２７が押下されると、図５（Ａ）に示す手引き一覧画面３３が表示される。この手引き一覧画面３３には、セットアップ画面３２に対応して撮影シーン選択やストロボ発光モード選択などの項目一覧が表示される。これらの項目の中から十字ボタン２５によってカーソルを操作してスローシンクロ撮影を選択し、決定ボタン２８を押下する。すると、図５（Ｂ）に示すように、いったん、画像表示画面３１に復帰した後、上述したスローシンクロモードへの切り替え操作の操作案内が開始される。
【００２０】
まず、メニューボタン２３が点滅するとともに、押下駆動回路５１によって押下される。そして、図５（Ｃ）に示すように、ＬＣＤ２２にはセットアップ画面３２が表示される。そして、十字ボタン２５が点滅するとともに、自動的に押下動作が行われて、それに合わせてカーソルが移動する。カーソルは、ストロボ発光モード選択に合ったところで停止する。そして、決定ボタン２８の点灯と押下動作が行われて、図５（Ｄ）に示すように、セットアップ画面３２に、選択可能なストロボ発光モードの一覧が表示される。再び、十字ボタン２５の点滅及び押下動作とともに、カーソルが移動して、スローシンクロモードで停止する。決定ボタン２８の点滅及び押下動作とともに、画面が画像表示画面３１に復帰する。画像表示画面３１には、スローシンクロモードを表すマーク２１が表示される。最後に、シャッタボタン１８の点滅及び押下動作が行われる。操作案内においては、ユーザーが操作方法をじっくりと確認できるように、一連の操作は十分な時間間隔を空けて行われる。
【００２１】
操作案内が終了すると、ＬＣＤパネル２２に、操作案内で実行されたスローシンクロモードの設定をもとに戻すかどうかを確認するメッセージが表示される。「ＹＥＳ」を選択すると、スローシンクロモードが設定された状態で画像表示画面３１に復帰する。「ＮＯ」を選択すると、操作案内を実行する前の状態で画像表示画面３１に復帰する。このように、操作案内を実行する前に、その状態を把握して状態情報を制御部３５内のＲＡＭに記憶させておく。
【００２２】
上記構成による作用について、図６に示すフローチャートに従って説明する。デジタルカメラ２で撮影中に操作が分からない場合には、ヘルプボタン２７を押下して、ＬＣＤ２２に、図５（Ａ）に示す手引き一覧画面３３を表示させる。カーソルでこの画面３３から所望の項目を選択し、決定ボタン２８を押下する。これにより、操作案内が開始される。システム制御部３５はＲＯＭ５０から選択された操作手順データを読み出し、それに従って押下駆動回路５１及び点灯回路５２を制御して各操作ボタンやＬＣＤ２２を動作させることで、操作方法を実演する。このように、操作案内は各動作部や表示パネルを実際に作動させることにより行われるので、テキストによる操作説明と比較して、初心者にとって非常に分かりやすい。
【００２３】
ヘルプボタン２７により手引き一覧を表示させているが、デジタルカメラ２の電源のオンに連動して、自動的に表示されるようにしても良い。
【００２４】
なお、本実施例では各操作ボタンを自動的に押下動作させ、この押下動作に連動させてＬＥＤを点灯させることで操作案内を行ったが、各操作ボタンの押下動作及びＬＥＤの点灯のどちらか一方によって操作案内を行ってもよい。
【００２５】
また、ＬＥＤは必ずしもすべての操作ボタンに内蔵させなくてもよく、一部の操作ボタンに内蔵させてもよい。
【００２６】
また、操作案内を実演する際には、各操作部の動作に連動して音声による案内を付加してもよい。
【００２７】
本実施例では、デジタルカメラを例にして説明したが、デジタルカメラに限らず、ビデオカメラ、ビデオデッキ、ステレオ装置、等の電子機器に本発明を適応しても良い。
【００２８】
【発明の効果】
以上のように、本発明によれば、デジタルカメラの操作が分からない場合に、各操作ボタンを実際に自動的に押下させて操作方法の操作案内を行ったので、操作方法を効率よく習得することができる。
【００２９】
さらに、各操作部に内蔵したＬＥＤを操作ボタンの押下動作に連動して、点灯させたので、初心者にとっても非常に分かりやすく、操作案内を確認することができる。
【図面の簡単な説明】
【図１】本発明を備えたデジタルカメラ正面の外観斜視図である。
【図２】本発明を備えたデジタルカメラ背面の外観斜視図である。
【図３】デジタルカメラの構成を示すブロック図である。
【図４】スローシンクロ撮影へのモード変更の説明図である。
【図５】操作方法の実演を説明する説明図である。
【図６】操作方法の実演を説明するフローチャートである。
【符号の説明】
２  デジタルカメラ
２２  ＬＣＤ
２３  メニューボタン
２４  キャンセルボタン
２５  十字ボタン
２６  モード選択レバー
２７  ヘルプボタン
２８  決定ボタン
３１  画像表示画面
３２  セットアップ画面
３５  システム制御部
５１  押下駆動回路
５２  点灯回路
５４  ＬＥＤ
【図１】
2004165782.tif 000003
【図２】
2004165782.tif 000004
【図３】
2004165782.tif 000005
【図４】
2004165782.tif 000006
【図５】
2004165782.tif 000007
【図６】
2004165782.tif 000008